(57)【要約】【課題】リテーナを閉じる前にフラットハーネスがコネクタに接続されていることを確認することができるフラットハーネス用コネクタを提供する。【解決手段】フラットハーネス用コネクタ１００は、フラットハーネス１と、このフラットハーネス１に接続される複数の接続端子２と、フラットハーネス１の端末部及び接続端子２が収納されるコネクタハウジング３と、フラットハーネス１をコネクタハウジング３に係合させる係止ピン４とを備えて構成されている。係止ピン４は、その断面が半円状の棒であり、その長さが端子保持ハウジング７の幅とほぼ等しい。この係止ピン４は、端子保持リテーナ９が開いた状態で端子保持ハウジング７に形成された係止突起７ｅの貫通孔に通されることにより、フラットハーネス１を端子保持ハウジング７に固定する。【選択図】図２
2007273417.tif 000002
【特許請求の範囲】
【請求項１】
複数の導体を平面状に並設し各導体の周囲に絶縁被膜が備えられ端部に固定用の孔を有するフラットハーネスと、
前記フラットハーネスの前記導体がそれぞれ接続される複数の接続端子と、
前記フラットハーネスの端部及び前記接続端子の接続部を接合状態で保持すると共に、前記フラットハーネスの端部の孔と嵌合する、前記孔の貫通方向及び前記導体の延びる方向と直交する方向に貫通孔が形成された係止突起を有する端子保持ハウジングと、
前記端子保持ハウジングにヒンジを介して開閉自在に接続され、前記端子保持ハウジングと嵌合することにより前記フラットハーネスの端部と前記接続端子を収納する端子保持リテーナと、
前記フラットハーネスの孔に前記係止突起を貫通させた状態で前記係止突起に形成された前記貫通孔に通されることによって前記フラットハーネスを前記端子保持ハウジングに固定する係止部材と
を備えたことを特徴とするフラットハーネス用コネクタ。
【請求項２】
前記係止部材は、前記端子保持ハウジングの幅方向と長さがほぼ等しい棒形状であることを特徴とする請求項１記載のフラットハーネス用コネクタ。
【請求項３】
前記係止部材は、前記端子保持ハウジングの幅方向と長さがほぼ等しいＵ字ピンであることを特徴とする請求項１記載のフラットハーネス用コネクタ。
【請求項４】
前記係止部材は、前記端子保持ハウジングの幅方向と長さがほぼ等しい楔形状であることを特徴とする請求項１記載のフラットハーネス用コネクタ。
【請求項５】
前記係止部材は、前記端子保持ハウジングの幅方向と長さがほぼ等しい棒形状であり、上下方向に突出する係止部を設けたことを特徴とする請求項１記載のフラットハーネス用コネクタ。
【請求項６】
複数の導体を平面状に並設し各導体の周囲に絶縁被膜が備えられ端部に固定用の孔を有するフラットハーネスと、
前記フラットハーネスの前記導体がそれぞれ接続される複数の接続端子と、
上面に幅方向に形成された溝を有し前記フラットハーネスの端部及び前記接続端子の接続部を接合状態で保持する端子保持ハウジングと、
前記端子保持ハウジングと対向する面に前記溝と係合する凸部を有し、前記端子保持ハウジングにヒンジを介して開閉自在に接続されて前記端子保持ハウジングと嵌合することにより前記フラットハーネスと前記接続端子を収納する端子保持リテーナと
を備えたことを特徴とするフラットハーネス用コネクタ。
【請求項７】
前記溝と前記フラットハーネスとの間には、接着剤又は自己粘着材料が介することを特徴とする請求項６記載のフラットハーネス用コネクタ。
【発明の詳細な説明】
【技術分野】
【０００１】
本発明は、基端部にフラットハーネスを接続し、先端部に相手側である外部電装部品を接続し、フラットハーネスと外部電装部品とを電気的に接続するフラットハーネス用コネクタに関する。
【背景技術】
【０００２】
近年、自動車などに搭載されるワイヤーハーネスとして、複数の導体を平面状に並設したフラットハーネスが多用されるようになっている。このフラットハーネスと外部電装部品とを接続する際には、フラットハーネス用コネクタが用いられる。このフラットハーネス用コネクタの内部には、一端に外部電装部品の配線が接続され、他端にフラットハーネスの導体が接続された接続端子が収容されている。フラットハーネス用コネクタは、端子保持ハウジングに複数の接続端子を配置してフラットハーネスの導体を重ね合わせ、端子保持ハウジングに開閉自在に取り付けられたリテーナを閉じることにより、接続端子とフラットハーネスとを接合状態で固定する（特許文献１）。
【特許文献１】特願２００５−２５９５６０
【発明の開示】
【発明が解決しようとする課題】
【０００３】
しかしながら、このようなフラットハーネス用コネクタは、端子保持リテーナを閉じるまでフラットハーネスが端子保持ハウジングに嵌合させているか確認できないという問題点を有する。
【０００４】
本発明は、このような点に鑑みてなされたものであり、リテーナを閉じる前の状態において、フラットハーネスが端子保持ハウジングに固定されたことを確認することができるフラットハーネス用コネクタを提供することを目的とする。
【課題を解決するための手段】
【０００５】
本発明に係るフラットハーネス用コネクタは、複数の導体を平面状に並設し各導体の周囲に絶縁被膜が備えられ端部に固定用の孔を有するフラットハーネスと、前記フラットハーネスの前記導体がそれぞれ接続される複数の接続端子と、前記フラットハーネスの端部及び前記接続端子の接続部を接合状態で保持すると共に、前記フラットハーネスの端部の孔と嵌合する、前記孔の貫通方向及び前記導体の延びる方向と直交する方向に貫通孔が形成された係止突起を有する端子保持ハウジングと、前記端子保持ハウジングにヒンジを介して開閉自在に接続され、前記端子保持ハウジングと嵌合することにより前記フラットハーネスの端部と前記接続端子を収納する端子保持リテーナと、前記フラットハーネスの孔に前記係止突起を貫通させた状態で前記係止突起に形成された前記貫通孔に通されることによって前記フラットハーネスを前記端子保持ハウジングに固定する係止部材とを備えたことを特徴とする。
【発明の効果】
【０００６】
本発明に係るフラットハーネス用コネクタによれば、係止部材がフラットハーネスの孔に貫通させた突起に形成された貫通孔に通されるため、端子保持リテーナを閉じる前に、フラットハーネスが端子保持ハウジングに固定され、接続端子に接続されたことを確認することができる。
【発明を実施するための最良の形態】
【０００７】
以下、添付した図面を参照して本発明の実施形態に係るフラットハーネス用コネクタについて説明する。
【０００８】
図１は、本発明の第１の実施形態に係るフラットハーネス用コネクタを示す外観斜視図である。図２は、同フラットハーネス用コネクタのリテーナを開いた状態における外観斜視図である。図３は、同フラットハーネス用コネクタの平面図である。図４は、同フラットハーネス用コネクタの断面図である。また、図５は、図１のＡ−Ａ’断面図、図６は、図１のＢ−Ｂ’断面図、図７は、図１のＣ−Ｃ’断面図である。なお、フラットハーネス用コネクタのフラットハーネスが接続される側を基端側とし、他端を先端側と定義する。
【０００９】
図１及び図２に示すように、このフラットハーネス用コネクタは、フラットハーネス１と、このフラットハーネス１に接続される複数の接続端子２と、フラットハーネス１の端末部及び接続端子２が収納されるコネクタハウジング３と、フラットハーネス１をコネクタハウジング３に係合させる係止ピン４とを備えて構成されている。
【００１０】
フラットハーネス１は、矩形断面状を有する複数の導体５が平面状に並設され、各導体５の周囲が絶縁被膜６によって覆われたものである。フラットハーネス１の端末部は、片面の絶縁被膜６が除去され導体５が露出した接続部１ａ（図４）を有する。また、図２に示すように、フラットハーネス１の平面方向中心部には、導体５が形成されていない位置に矩形状の貫通孔１ｂが形成されている。更に、フラットハーネス１の端末部には導体５が形成されていない位置に係合孔１ｃが形成されている。フラットハーネス１は、例えば、フラットケーブル（ＦＣ）、フレキシブルフラットケーブル（ＦＦＣ）及びフレキシブルプリント基板（ＦＰＣ）によって構成することができる。
【００１１】
接続端子２は、扁平な板状の金属片からなり、フラットハーネス１の接続部１ａに接続された状態でコネクタハウジング３に収納される。この接続端子２は、平面方向中心部に矩形の係止孔２ａが形成されている。なお、複数の接続端子２の導体接続部と接続部１ａとの接続は、例えば、シリーズ溶接などの抵抗溶接、超音波溶接、レーザ溶接、アーク溶接、半田付け及びピアッシングによって行うことができる。
【００１２】
コネクタハウジング３は、複数の接続端子２が装着される端子保持ハウジング７と、この端子保持ハウジング７の上面にヒンジ８を介して開閉自在に取り付けられた端子保持リテーナ９とを備えて構成される。
【００１３】
端子保持ハウジング７は、その上面に複数の接続端子２が所定の間隔を置いて配置され、各接続端子２の間に位置する場所には、係止孔７ａが形成されている。また、端子保持ハウジング７の基端側には、幅方向に半円状の断面を有する貫通孔を備えた係止突起７ｅが形成されている。この係止突起７ｅは、フラットハーネス１に形成された貫通孔１ｂから突出するように配されている。また、この係止突起７ｅと対向する端子保持リテーナ９には、係止突起７ｅの形状に切り取られた係合孔９ｅが形成されている。
【００１４】
端子保持リテーナ９は、端子保持ハウジング７と対向する面において、基端側から順に、フラットハーネス係合突起９ａ、接続端子係合突起９ｂ及び端子保持ハウジング係合突起９ｃが形成されている。各係合突起９ａ〜９ｃは、端子保持リテーナ９が閉じることにより各部材を固定する。フラットハーネス係合突起９ａは、フラットハーネス１が有する係合孔１ｃに嵌合することによりフラットハーネス１をコネクタハウジング３に固定する。端子保持ハウジング係合突起９ｂは、端子保持ハウジング７の上面に形成されている係止孔７ａと嵌合することにより、端子保持リテーナ９を端子保持ハウジング７に固定する。接続端子係合突起９ｃは、接続端子２が有する係止孔２ａと嵌合して接続端子２をコネクタハウジング３に固定する。更に、端子保持リテーナ９の基端側の両側面には係合孔９ｄが形成されており、端子保持ハウジング７の基端部両側面に形成された係合突起７ｄと嵌合することにより、端子保持リテーナ９を端子保持ハウジング７に固定する。
【００１５】
係止ピン４は、その断面が半円状の棒であり、その長さが端子保持ハウジング７の幅とほぼ等しい。この係止ピン４は、端子保持ハウジング７に形成された係止突起７ｅの貫通孔を貫通することにより、フラットハーネス１を端子保持ハウジング７に固定する。また、端子保持ハウジング７の両側面には、係止ピン４の形状に切り取られた切り欠き部７ｆが形成されている。
【００１６】
このように構成されたフラットハーネス用コネクタは、端子保持リテーナ９を開いた状態で、係止ピン４を係止突起７ｅの貫通孔に通ことにより、フラットハーネス１を端子保持ハウジング７に固定し、その後、端子保持リテーナ９を閉じることでフラットハーネス１と接続端子２とを固定する。
【００１７】
以上のように、係止ピン４を用いることによって、端子保持リテーナ９を閉じる前にフラットハーネス１が端子保持ハウジング７に固定されたことを確認することができる。
【００１８】
図８は、本発明の第２の実施形態に係るフラットハーネス用コネクタの係止部材を示す斜視図であり、図９は、この係止部材の装着した状態におけるフラットハーネス用コネクタの断面図である。
【００１９】
第２の実施形態に係るフラットハーネス用コネクタは、Ｕ字ピン１１によってフラットハーネス１が端子保持ハウジング７に固定接続されている。Ｕ字ピン１１は、その長さが端子保持ハウジング７の幅方向とほぼ等しく、先端部１１ａが外側に折り曲げられている。このＵ字ピン１１は、端子保持リテーナ９を開いた状態で、係止突起７ｅの有する貫通孔に通され、フラットハーネス１を端子保持ハウジング７に固定する。
【００２０】
図１０は、本発明の第３の実施形態に係るフラットハーネス用コネクタの係止部材を示す斜視図であり、図１１は、この係止部材の装着した状態におけるフラットハーネス用コネクタの断面図である。
【００２１】
第３の実施形態に係るフラットハーネス用コネクタは、係止ピン１２によってフラットハーネス１が端子保持ハウジング７に固定接続されている。この係止ピン１２は、長さが端子保持ハウジング７の幅とほぼ等しく、端子保持ハウジング７の幅方向に応じて半径が次第に変化する半円状の断面を有する。この係止ピン４は、端子保持ハウジング７に形成された係止突起７ｅの有する貫通孔に通されることにより、フラットハーネス１を端子保持ハウジング７に固定する。
【００２２】
図１２は、本発明の第４の実施形態に係るフラットハーネス用コネクタの係止部材を示す斜視図であり、図１３は、この係止部材の装着した状態におけるフラットハーネス用コネクタの断面図である。
【００２３】
第３の実施形態に係るフラットハーネス用コネクタは、係止ピン１３によってフラットハーネス１が端子保持ハウジング７に固定接続されている。この係止ピン１３は、第１の実施形態で用いられていた係止ピン４の一端に上下方向に突出する係合突起が形成されたものである。このように、係止ピン１３に突起１３ａを形成することで、係止ピン１３の幅方向のズレを防ぐことができる。
【００２４】
図１４は、本発明の第５の実施形態に係るフラットハーネス用コネクタの断面図であり、図１５は、同フラットハーネス用コネクタの幅方向における断面図である。
【００２５】
第１〜第４の実施形態では、係止ピンなどの係止部材によってフラットハーネス１を端子保持ハウジング７に固定していたが、第５の実施形態では、端子保持ハウジング７’の幅方向にＶ溝７’ａを形成し、端子保持リテーナ９’にこのＶ溝７’ａと対応するＶ型突起９’ａを形成し、端子保持リテーナ９’が閉じることによりフラットハーネス１を端子保持ハウジング７’に固定するように構成することもできる。ここで、Ｖ溝７’ａの形状は、矩形や円形、楕円状、波形状のいずれの形状として構成してもよく、Ｖ溝７’ａとフラットハーネス１との間に必要に応じて接着剤や自己粘着テープを介してもよい。
【図面の簡単な説明】
【００２６】
【図１】本発明の第１の実施形態に係るフラットハーネス用コネクタを示す外観斜視図である。
【図２】同フラットハーネス用コネクタを示す外観斜視図である。
【図３】同フラットハーネス用コネクタの平面図である。
【図４】同フラットハーネス用コネクタの断面図である。
【図５】図１のＡ−Ａ’断面図である。
【図６】図１のＢ−Ｂ’断面図である。
【図７】図１のＣ−Ｃ’断面図である。
【図８】本発明の第２の実施形態に係るフラットハーネス用コネクタの係止ピンを示す斜視図である。
【図９】同フラットハーネス用コネクタの断面図である。
【図１０】本発明の第３の実施形態に係るフラットハーネス用コネクタの係止部材を示す斜視図である。
【図１１】同フラットハーネス用コネクタの断面図である。
【図１２】第４の実施形態に係るフラットハーネス用コネクタの係止部材を示す斜視図である。
【図１３】同フラットハーネス用コネクタの断面図である。
【図１４】第５の実施形態に係るフラットハーネス用コネクタの断面図である。
【図１５】同フラットハーネス用コネクタの幅方向における断面図である。
【符号の説明】
【００２７】
１…フラットハーネス、２…接続端子、３…コネクタハウジング、４，１１〜１３…係止ピン、５…導体、６…絶縁被膜、７…端子保持ハウジング、８…ヒンジ、９…リテーナ。
【図１】
2007273417.tif 000003
【図２】
2007273417.tif 000004
【図３】
2007273417.tif 000005
【図４】
2007273417.tif 000006
【図５】
2007273417.tif 000007
【図６】
2007273417.tif 000008
【図７】
2007273417.tif 000009
【図８】
2007273417.tif 000010
【図９】
2007273417.tif 000011
【図１０】
2007273417.tif 000012
【図１１】
2007273417.tif 000013
【図１２】
2007273417.tif 000014
【図１３】
2007273417.tif 000015
【図１４】
2007273417.tif 000016
【図１５】
2007273417.tif 000017